(57)【特許請求の範囲】
【請求項１】
台紙本体に窓開き封筒の窓部に対応する宛名表示部とカード型ＣＤが取り付けられたＣＤ取付部とを区分形成した送付台紙であって、前記ＣＤ取付部は台紙本体とカード型ＣＤとシート状保持部材とを重ね合わせて、台紙本体とシート状保持部材とでカード型ＣＤを挟み込み、かつ、前記カード型ＣＤの辺部の側方に近接した状態で台紙本体とシート状保持部材とを接着してカード型ＣＤの回転を規制する回り止め手段を設け、
前記カード型ＣＤの中央孔に対応して前記台紙本体の中央孔対応部を分離可能に設け、該中央孔対応部に、前記シート状保持部材におけるカード型ＣＤの中央孔に対応する中央孔対応部を接着したことを特徴とするカード型ＣＤ送付用台紙。
【請求項２】
上記台紙本体の中央孔対応部は上記カード型ＣＤの中央孔を通過可能な大きさとされ、上記シート状保持部材の中央孔対応部はカード型ＣＤの中央孔の内側に位置することのできる大きさとされている請求項１に記載のカード型ＣＤ送付用台紙。
【請求項３】
上記回り止め手段は、台紙本体とシート状保持部材とを剥離可能に接着してなるものであり、シート状保持部材を台紙本体から分離したときに、台紙本体の中央孔対応部がシート状保持部材側に位置して台紙本体から分離する構成とした請求項１または２に記載のカード型ＣＤ送付用台紙。
【発明の詳細な説明】
【０００１】
【発明の属する技術分野】
本発明はカード型ＣＤ送付用台紙に関するものである。
【０００２】
【発明が解決しようとする課題】
従来からクレジットカードなどのカードを送付するに際しては封筒を用いて行われており、封筒内でカードが移動しないように送付台紙にそのカードを剥離可能にして貼り付けたり、送付台紙にカードの角部が入り込む切り込みを設けてカードの角部をその切り込みに係止させるようにしており、このようにして送付台紙とカードとを一体とした状態で封筒に入れて送付するようにしていた。
ところで、近年においてはＣＤの応用品として名刺大のカード型ＣＤが普及し、各種の情報を記録してＣＤ−ＲＯＭ読取装置を有するパーソナルコンピュータを介して記録内容を表示できるようになってきている。このようなことから、このカード型ＣＤにカタログ情報などを記録して顧客に提供することが試みられるようになってきた。
【０００３】
しかしながら、このカード型ＣＤの送付に際しては上述した送付台紙を用いる送付手法ではつぎの不都合がある。例えば、カード型ＣＤの読み取り面は汚損されないように保護する必要がある。よって、この読み取り面と台紙本体との間に接着剤が位置する状態でカード型ＣＤを台紙本体に貼着することができない。また、読み取り面が外方側に向く状態で台紙本体に取り付けるようにした場合では、送付過程の取り扱い時に他物が封筒に接触し、封筒素材を通して読み取り面を傷付ける可能性がある。
一方、台紙にカード保持用の切り込みを設けて、これにカードの角部を係止させる手法では、専用機械を用いてカードを撓ませ、その状態でカードの角部を前記切り込みに差し入れるようにしているため、この方法でカード型ＣＤを台紙本体に組み付けるとカード型ＣＤの記録層が破損してしまうという問題がある。
そこで本発明は上記事情に鑑み、カード型ＣＤを傷つけたり破損させたりすることなく台紙本体に組み付けることを課題とし、カード型ＣＤを適正に送付できるようにすることを目的とする。
【０００４】
【課題を解決するための手段】
本発明は上記課題を考慮してなされたもので、台紙本体に窓開き封筒の窓部に対応する宛名表示部とカード型ＣＤが取り付けられたＣＤ取付部とを区分形成した送付台紙であって、前記ＣＤ取付部は台紙本体とカード型ＣＤとシート状保持部材とを重ね合わせて、台紙本体とシート状保持部材とでカード型ＣＤを挟み込み、かつ、前記カード型ＣＤの辺部の側方に近接した状態で台紙本体とシート状保持部材とを接着してカード型ＣＤの回転を規制する回り止め手段を設け、前記カード型ＣＤの中央孔に対応して前記台紙本体の中央孔対応部を分離可能に設け、該中央孔対応部に、前記シート状保持部材におけるカード型ＣＤの中央孔に対応する中央孔対応部を接着したことを特徴とするカード型ＣＤ送付用台紙を提供して、上記課題を解消するものである。
そして、本発明においては、上記台紙本体の中央孔対応部は上記カード型ＣＤの中央孔を通過可能な大きさとされ、上記シート状保持部材の中央孔対応部はカード型ＣＤの中央孔の内側に位置することのできる大きさとされていることができるものである。また、上記回り止め手段は、台紙本体とシート状保持部材とを剥離可能に接着してなるものであり、シート状保持部材を台紙本体から分離したときに、台紙本体の中央孔対応部がシート状保持部材側に位置して台紙本体から分離する構成とすることができるものである。
【０００５】
【発明の実施の形態】
つぎに本発明を図１から図３に示す実施の形態に基づいて詳細に説明する。
図中１はカード型ＣＤ送付用台紙で、該カード型ＣＤ送付用台紙１は、図１に示すように窓開き封筒に挿入することのできる大きさとした台紙本体２に、宛名表示部３とＣＤ取付部４とを区分形成したものであり、前記宛名表示部３とＣＤ取付部４との間には両者を区分する切り取りミシン目からなる切取り部５が位置している。
上記宛名表示部３は片面に窓開き封筒の窓部に対応する位置に受取人住所氏名などの宛名情報が記載されていて、この台紙本体２を窓開き封筒に挿入することで窓部から前記宛名表示部３に記載されている宛名情報が表出するように設けられている。
【０００６】
上記ＣＤ取付部４にはカード型ＣＤが取り付けられていて、台紙本体２とカード型ＣＤ６とシート状保持部材７とを重ね合わせてなるものであり、ＣＤ取付部４の領域の台紙本体２と前記シート状保護部材７とはそれぞれカード型ＣＤ６を十分に覆うことのできる大きさに設けられている。
図１の（イ）に示されているように、ＣＤ取付部４での台紙本体２にあっては、前記カード型ＣＤ６の中央孔８に対応した位置に中央孔対応部９を有していて、この中央孔対応部９は切り取りミシン目からなる切取り部１０に囲まれて、分離可能に設けられており、図２と図３に示されているように、前記カード型ＣＤ６の中央孔８を通過可能な大きさとされている。また、他方のシート状保持部材７にあってもカード型ＣＤ６の中央孔８に対応する位置に中央孔対応部１１を有していて、このシート状保持部材７の中央孔対応部１１は同様に図２と図３に示されているように、カード型ＣＤ６の中央孔８の内側に位置可能な大きさとされている。そして、このシート状保持部材７の前記中央孔対応部１１は台紙本体２の前記中央孔対応部９に接着されているものであり、中央孔対応部９と中央孔対応部１１とを接着して台紙本体２とシート状保持部材７とでカード型ＣＤ６を挟み込み保持している。
【０００７】
上記シート状保持部材７における中央孔対応部１１はカード型ＣＤ６の中央孔８に落とし込んだ状態にして上記台紙本体２における中央孔対応部９に接着されているものであり、中央孔対応部１１の中央孔６への落とし込みでその中央孔対応部１１周りでシート状保護部材７にしわ付きを生じさせないようにするため、図２に示されているように中央孔対応部１１は放射状の切れ目を入れて複数の舌片１２として形成され、その舌片１２それぞれを中央孔８に落とし込んで、先端部分を台紙本体２側の中央孔対応部９に接着させている。
【０００８】
また、ＣＤ取付部４にあっては、カード型ＣＤ６の両長辺の側方であってそのカード型ＣＤ６に重ならない位置において上記シート状保持部材７と台紙本体２とを剥離可能に貼り合わせてなる貼着部１３が設けられている。このようにカード型ＣＤ６の両長辺の側方に近接した状態で貼着部１３が位置していることから、この貼着部１３が回り止め手段となって上記中央孔対応部９、１１の接着部分を中心としたカード型ＣＤ６の回転を規制し、このカード型ＣＤ送付用台紙１を封筒に入れて送付しても、その送付過程ではカード型ＣＤ６が移動しないとともに回転もせず、台紙本体２とシート状保持部材７との間で適正に保持された状態が維持される。
上記貼着部１３の貼り合わせ構成は剥離可能に貼り合わされるものであれば特に限定されるものではない。例えば、弱接着力の接着剤を用いて貼り合わせることができる。また、擬似接着した二層フィルムを台紙本体２とシート状保持部材７との間に介在させるようにして貼り合わせ、シート状保持部材７の引き剥ぎで二層フィルムの擬似接着部分で剥離する構成とすることで、シート状保持部材７が台紙本体２から分離できるようにすることが可能である。
なお、貼着部１３の位置はカード型ＣＤ６の回転を規制する場所であればよいものであり、上述したカード型ＣＤ６の長辺側方に限定されない。
【０００９】
カード型ＣＤ６の取り出しはシート状保持部材７を引き剥ぐようにすればよい（図３参照）。上述したようにこのシート状保持部材７を引き剥ぐと上記貼着部１３でシート状保持部材７と台紙本体２とが分離する。そして、シート状保持部材７における中央孔対応部１１が接着している台紙本体２の中央孔対応部９は切取り部１０で囲まれていることから、この中央孔対応部９がシート状保持部材７側に位置して台紙本体２から分離する（図３参照）。よって、カード型ＣＤ６に対する拘束が解かれてカード型ＣＤ６を台紙本体２から分離できる。なお、シート状保持部材７の引き剥ぎに合わせて前記中央孔対応部９を台紙本体２の裏面側から押して積極的に切取り部１０を破断させて、この中央孔対応部９を台紙本体２から離れ易くなるようにしてもよい。
【００１０】
上述したように宛名表示部３とＣＤ取付部４とを切取り部５で区分している。
そして、前記宛名表示部３はその宛名情報が記載された面とは反対側の面に図示しない各種情報が記載されており、必要に応じて前記切取り部５から宛名表示部３を分離し、各種情報を所持したシートとしてこの宛名表示部３を単独に保管管理できるようにすることが可能である。
また、上記実施の例では回り止め手段を台紙本体とシート状保持部材とを剥離可能に接着してなるものとして説明したが、本発明はこれに限定されない。即ち、回り止め手段を前記台紙本体とシート状保持部材とが確実に接着されたものとすることが可能である。この構成において、カード型ＣＤの取り出しには台紙本体２側の中央孔対応部９をシート状保持部材７側に向けて押出すことで、中央孔対応部９と１１との接着部分を中央孔８から外すようにする。このようにすれば、カード型ＣＤ６の抜き出しが可能となる。勿論、回り止め手段である貼着部１３はカード型ＣＤ６の抜き出し、及び差し入れを阻害しない配置とする。そして、カード型ＣＤ６を台紙本体２とシート状保持部材７との間に戻し、前記中央孔対応部９、１１の接着部分を中央孔８にあてがって押し付けるようにすれば、その接着部分が中央孔に係止する状態となり、よって、カード型ＣＤがＣＤ取付部４に再び保持されるようになる。即ち、このＣＤ取付部４をカード型ＣＤ６の保護ケースなどとして利用できる。この場合、上記切取り部５から宛名表示部３を分離すれば、取り扱いが容易な形状となる。
【図面の簡単な説明】
【図１】本発明に係るカード型ＣＤ送付用台紙の一例を示すもので、（ア）は宛名表示がある片面を示す説明図、（イ）はもう一方の片面を示す説明図である。
【図２】一例におけるＣＤ取付部を一部断面で示す説明図である。
【図３】一例においてシート状保持部材を取り外した状態を示す説明図である。
【符号の説明】
１…カード型ＣＤ送付用台紙
２…台紙本体
３…宛名表示部
４…ＣＤ取付部
６…カード型ＣＤ
７…シート状保持部材
８…中央孔
９…中央孔対応部
１０…切取り部
１１…中央孔対応部
１２…舌片
１３…貼着部
【図１】
0004565599.tif 000002
【図２】
0004565599.tif 000003
【図３】
0004565599.tif 000004